【手続補正書】
【提出日】令和2年9月9日(2020.9.9)
【手続補正１】
【補正対象書類名】特許請求の範囲
【補正対象項目名】全文
【補正方法】変更
【補正の内容】
【特許請求の範囲】
【請求項１】
式Ｉ：
−［ＯＣ−Ａｒ−Ｏ−Ｐ（＝Ｏ）（−Ａｒ）−Ｏ−Ａｒ−ＣＯ−ＮＨ−Ｒ−ＮＨ］−  （Ｉ）
の少なくとも１種の繰り返し単位を含むポリアミドであって、
式中、Ａｒがアリール、アリーレン、ヘテロアリール、及び炭素環基からなる群から独立して選択され、
Ｒが共有結合、又は飽和若しくは不飽和の脂肪族、飽和若しくは不飽和の環状脂肪族、芳香族、アリール脂肪族、及びアルキル芳香族からなる群から選択される二価の炭化水素系基を表す、ポリアミド。
【請求項２】
Ｒが、水素化脂肪族、環状脂肪族、芳香族、及び脂環式基からなる群から選択される、請求項１に記載のポリアミド。
【請求項３】
Ｒがメタ−キシレレニル部位及びパラ−キシレレニル部位からなる群から選択される、請求項１又は２に記載のポリアミド。
【請求項４】
Ａｒが、アリール、アリーレン、ヘテロアリール、及びＣ4〜Ｃ18の炭素原子を有する炭素環基である、請求項１に記載のポリアミド。
【請求項５】
Ａｒがフェニル基又はフェニレン基である、請求項１〜４のいずれか１項に記載のポリアミド。
【請求項６】
式Ｉ：
−［ＯＣ−フェニレン−Ｏ−Ｐ（＝Ｏ）（−フェニル）−Ｏ−フェニレン−ＣＯ−ＮＨ−Ｒ−ＮＨ］−  （Ｉ）
の少なくとも１種の繰り返し単位を含むポリアミドであって、
式中、Ｒが共有結合、又は飽和若しくは不飽和の脂肪族、飽和若しくは不飽和の環状脂肪族、芳香族、アリール脂肪族、及びアルキル芳香族からなる群から選択される二価の炭化水素系基を表す、請求項１〜５のいずれか１項に記載のポリアミド。
【請求項７】
前記ポリアミドが式Ｉの繰り返し単位のみからなるホモポリアミドである、請求項１及び６のいずれか１項に記載のポリアミド。
【請求項８】
前記ポリアミドが式（Ｉ）の繰り返し単位とは異なる他の繰り返し単位を更に含むコポリアミドであり、前記繰り返し単位がジカルボン酸、ジアミン、アミノ酸、及び／又はラクタムなどのコモノマー由来である、請求項１〜６のいずれか１項に記載のポリアミド。
【請求項９】
前記ポリアミドが、モノマー単位の残基の合計量を基準として、０．１〜１００モル％、好ましくは０．２〜５０モル％、より好ましくは０．５〜２５モル％の式Ｉの繰り返し単位を含む、請求項１〜８のいずれか１項に記載のポリアミド。
【請求項１０】
請求項１〜９のいずれか１項に記載のポリアミドの合成方法であって、
以下の式（ＩＩ）：
Ｘ1ＯＯＣ−Ａｒ−Ｏ−Ｐ（＝Ｏ）（−Ａｒ）−Ｏ−Ａｒ−ＣＯＯＸ2  （ＩＩ）
（式中、Ｘ1及びＸ2は水素、アルキル基、又はハロゲン基から独立して選択され、Ａｒは請求項１で定義した通りである）
の少なくとも１種のジカルボン酸と、
以下の式（ＩＩＩ）：
Ｈ2Ｎ−Ｒ−ＮＨ2  （ＩＩＩ）
（式中のＲは請求項１で定義した通りである）
の少なくとも１種のジアミンと、
の間で重縮合反応させてポリアミドを得ることを含む、方法。
【請求項１１】
前記方法が、重縮合反応媒体中に他のモノマーを添加することも含む、請求項１０に記載の方法。
【請求項１２】
前記モノマーが、ジカルボン酸、ジアミン、アミノ酸、及び／又はラクタムからなる群から選択される、請求項１１に記載の方法。
【請求項１３】
前記方法が、モノマー単位の残基の合計量を基準として、０．１〜６０モル％、好ましくは０．２〜４０モル％、より好ましくは０．５〜２５モル％の式（ＩＩ）のジカルボン酸を添加することを含む、請求項１０〜１２のいずれか１項に記載の方法。
【請求項１４】
前記ポリアミドが、式中のＡｒがフェニル又はフェニレンである式（ＩＩ）のジカルボン酸と、式中のＲがキシレンである式（ＩＩＩ）のジアミンとの間の重縮合反応により合成される、請求項１０〜１３のいずれか１項に記載の方法。
【請求項１５】
前記ポリアミドが、式中のＡｒがフェニル又はフェニレンである式（ＩＩ）のジカルボン酸と、式中のＲがキシレンである式（ＩＩＩ）のジアミンと、アジピン酸との間の重縮合反応により合成される、請求項１０〜１３のいずれか１項に記載の方法。
【請求項１６】
請求項１〜９のいずれか１項に記載のポリアミドと、少なくとも１種の強化フィラー及び／又は少なくとも１種の他の添加剤とを含有するポリアミド組成物。
【請求項１７】
少なくとも１種の他のポリアミドも含有する、請求項１６に記載のポリアミド組成物。
【請求項１８】
前記他のポリアミドが、好ましくは以下の（コ）ポリアミド：ポリアミド６、ポリアミド７、ポリアミド６６、ポリアミド１０、ポリアミド１１、ポリアミド１２、ポリアミド６９、ポリアミド５１０、ポリアミド６１０、ポリアミド６１２、ポリアミド６１４、ポリアミド１０１０、ポリアミド１０１２、ポリアミド１０１４、ポリアミド１０１８、ポリアミド１２１２、ポリアミド４６、ポリアミド６１８、ポリアミド６３６、ポリアミド９Ｔ、ポリアミドＭＸＤ６、ポリアミド６６／６Ｔ、ポリアミド６６／ＭＰＭＤ．Ｔ、ポリアミド６６／６Ｉ、並びにこれらのポリアミドを主体とするブレンド物及びコポリマーからなる群から選択される、請求項１７に記載のポリアミド組成物。
【請求項１９】
−  式中のＡｒがフェニル又はフェニレンである式（ＩＩ）のジカルボン酸と式中のＲがキシレンである式（ＩＩＩ）のジアミンとから合成されるポリアミドと、ポリアミド６６とのブレンド物；
−  式中のＡｒがフェニル又はフェニレンである式（ＩＩ）のジカルボン酸と式中のＲがキシレンである式（ＩＩＩ）のジアミンとアジピン酸とから合成されるコポリアミドと、ポリアミド６６とのブレンド物；
−  式中のＡｒがフェニル又はフェニレンである式（ＩＩ）のジカルボン酸と式中のＲがキシレンである式（ＩＩＩ）のジアミンとから合成されるポリアミドと、ポリアミド６１０とのブレンド物；又は
−  式中のＡｒがフェニル又はフェニレンである式（ＩＩ）のジカルボン酸と式中のＲがキシレンである式（ＩＩＩ）のジアミンとアジピン酸とから合成されるコポリアミドと、ポリアミド６１０とのブレンド物；
である、請求項１６〜１８のいずれか１項に記載のポリアミド組成物。
【請求項２０】
少なくとも１種の難燃性添加剤を含有する、請求項１６〜１９のいずれか１項に記載のポリアミド組成物。
【請求項２１】
式Ｉ：
−［ＯＣ−Ａｒ−Ｏ−Ｐ（＝Ｏ）（−Ａｒ）−Ｏ−Ａｒ−ＣＯ−ＮＨ−Ｒ−ＮＨ］−
式（Ｉ）
（式中、Ａｒはアリール、アリーレン、ヘテロアリール、及び炭素環基からなる群から独立して選択され、Ｒは、共有結合、又は、飽和若しくは不飽和の脂肪族、飽和若しくは不飽和の環状脂肪族、芳香族、アリール脂肪族、脂環式、及びアルキル芳香族からなる群から選択される二価の炭化水素系基を表す）
の少なくとも１種の繰り返し単位を含むポリアミドと、少なくとも１種の強化フィラー及び／又は少なくとも１種の他の添加剤とをブレンドすることによる、請求項１６〜２０のいずれか１項に記載のポリアミド組成物の調製方法。
【請求項２２】
請求項１〜９のいずれか１項に記載のポリアミドから得られる物品であって、糸、繊維、自動車部品、及びワイヤ＆ケーブル部品からなる群から選択される、物品。
【請求項２３】
請求項１６〜２０のいずれか１項に記載のポリアミド組成物から得られる物品であって、糸、繊維、自動車部品、及びワイヤ＆ケーブル部品からなる群から選択される、物品。